(57)【要約】【課題】電子機器への接続状態を常に検知しつつ、省電力化を図ることができる電源装置を提供する。【解決手段】ケーブル２により電子機器と接続され、商用電源を電子機器に適する電源に変換して供給する電源装置は、以下のユニットを備える。即ち、ケーブル２が電子機器に接続されたことを判別する判別手段（プラグ判別端子３０２、動作モード制御部１０８）を備える。また、判別手段により、ケーブル２が電子機器に接続されたと判別された場合に、電子機器へ電源供給し、ケーブル２が電子機器に接続されていないと判別された場合に、電子機器への電源供給を停止する電源供給手段（動作切換部１０７）を備える。また、電源供給手段が停止している状態で判別手段に電源を供給する二次電池１１３を備える。【選択図】図１
2009278695.tif 000002
【特許請求の範囲】
【請求項１】
電子機器が接続され、前記電子機器に電力を供給する電源装置において、
前記電子機器が接続されたことを判別する判別手段と、
前記判別手段により、前記電子機器が接続されたと判別された場合に、前記電子機器へ電力を供給し、前記電子機器が接続されていないと判別された場合に、前記電子機器への電力供給を停止する電力供給手段と、
前記電力供給手段が前記電子機器への電力供給を停止している状態で前記判別手段に電力を供給する二次電池と、
を備えることを特徴とする電源装置。
【請求項２】
電子機器が接続され、前記電子機器に電力を供給する電源装置において、
前記電子機器から電力供給の指示が入力される入力手段と、
前記入力手段に電力供給の指示が入力される場合に、前記電子機器へ電力を供給し、前記入力手段に電力供給の指示が入力されない場合に、前記電子機器への電力供給を停止する電力供給手段と、
前記電力供給手段が前記電子機器への電力供給を停止している状態で前記判別手段に電力を供給する二次電池と、
を備えることを特徴とする電源装置。
【請求項３】
前記二次電池を充電する充電回路を備えることを特徴とする請求項１または２記載の電源装置。
【発明の詳細な説明】
【技術分野】
【０００１】
本発明は、電子機器を動作させるために商用電源より電源の変換を行い、供給を行う電源装置に関するものである。
【背景技術】
【０００２】
図３は、従来例に係る電源装置がカメラに接続された例を示す構成図である。
【０００３】
電源装置１はカメラ４に接続されている。
【０００４】
電源装置１は、入力した商用電源（ＡＣ）を整流する整流平滑回路１０１、電圧変換のためのパルス電流を作り出すスイッチング部１０２、トランス１０３、目的とする電圧に整流化する高周波整流平滑回路１０４を備える。
【０００５】
電源装置１は、パルス電流化する信号を作り出すパルス振幅調整ＩＣ１０５、電圧制御信号を発生する定電圧制御部１０６、フォトダイオード１０９、１１９を備える。
【０００６】
電源装置１は、フォトダイオード１０９、１１９の信号を受けるフォトトランジスタ１１１、１２０、パルス電流の周波数を変換させるための周波数切換部１１７、周波数切換信号を発生させる動作モード制御部１１８を備える。
【０００７】
電源を伝達するためのケーブル２の端部には、カメラ４に電源を供給するためのプラグ３がある。プラグ３は、＋極となるプラグ＋端子３０１、プラグ３の接続状態を判別するプラグ判別端子３０２、プラグ３のグランドとなるプラググランド端子３０３を備える。
【０００８】
電源装置１が接続されるカメラ４には、プラグ３が接続されるジャック５が設けられている。ジャック５は、ジャック＋接点５０１、ジャック判別接点５０２、ジャックグランド接点５０３を備える。
【０００９】
電源装置１に入力された商用電源（ＡＣ）は、整流平滑回路１０１で整流された後、スイッチング部１０２でパルス電流に変換され、トランス１０３を介して高周波整流平滑回路１０４に供給される。
【００１０】
高周波整流平滑回路１０４は、パルス電流をカメラ４に適するＤＣ電源に平滑化し、プラグ＋端子３０１に出力する。
【００１１】
定電圧制御部１０６は、高周波整流平滑回路１０４から出力される電圧を監視し電圧に応じた信号をフォトダイオード１０９からフォトトランジスタ１１１に送ることで、パルス振幅調整ＩＣ１０５に電圧情報を伝える。
【００１２】
パルス振幅調整ＩＣ１０５は、定電圧制御部１０６から伝えられた電圧情報を基に、パルス幅を変化させるようにスイッチング部１０２に信号を送り、所定の電圧に安定化させる。この動作は一般的なスイッチング電源の動作である。
【００１３】
プラグ３がカメラ４のジャック５に接続されると、プラグ＋端子３０１とジャック＋接点５０１、プラググランド端子３０３とジャックグランド接点５０３が結合し、電源装置１からカメラ４に電源が供給される。
【００１４】
同時に、プラグ判別端子３０２とジャック判別接点５０２が結合し、ジャック判別接点５０２がカメラ４内部でプラググランド端子３０３と結合されていることにより、プラグ判別端子３０２がグランドに落とされる。
【００１５】
動作モード制御部１１８は、プラグ判別端子３０２と接続されており、プラグ判別端子３０２がグランドに落ちたことを検知することで、プラグ３がカメラ４のジャック５に接続されたことを認知する。動作モード制御部１１８は、プラグ３の接続状態を信号としてフォトダイオード１１９からフォトトランジスタ１２０に送ることで、周波数切換部１１７に状態を伝達する。
【００１６】
周波数切換部１１７は、プラグ３が接続された場合には、規程の周波数でパルス電流を発生するようにパルス振幅調整ＩＣ１０５に伝達し、プラグ３が接続されない場合には、低い周波数でパルス電流を発生するようにパルス振幅調整ＩＣ１０５に伝える。
【００１７】
スイッチング電源は、パルス電流周波数が高い場合には、大きな電力を供給することができるが、それに応じた大きな動作電力を必要とする。パルス電流周波数が低い場合には、電力の供給量が少なくなるが動作電力を削減できる。
【００１８】
プラグ３の接続に応じパルス電流の周波数を変化させることで、プラグ３が接続されていない、所謂待機状態での電源装置１の消費電力を少なくすることが可能となる（例えば、特許文献１参照）。
【特許文献１】特開２００２−２４７８４７号公報
【発明の開示】
【発明が解決しようとする課題】
【００１９】
上記従来例では、電源装置の電源回路が正常動作している場合には、電源装置と電子機器の接続状態を検知する回路を動作させるための電力変換が十分行われている。このため、電源装置と電源回路の接続が外されたことを検知するのに問題は無い。
【００２０】
電源装置と電子機器の接続が外された場合には、これを検知して待機状態へ移行させる。そして、待機状態では、消費電力を少なくする動作状態へ移行させる。しかし、再度接続が行われたことを検知し、正常動作状態に復帰させるためには、検知回路への電源供給を止めることはできない。そのため、待機状態においても、大きな消費電力削減は望めない。
【００２１】
昨今、省エネルギーの観点より動作を行わない待機状態での電力消費について注目されてきており、待機状態での省電力化が重要となってきている。
【００２２】
本発明の目的は、電子機器への接続状態を常に検知しつつ、省電力化を図ることができる電源装置を提供することにある。
【課題を解決するための手段】
【００２３】
上記目的を達成するために、本発明の電源装置は、電子機器が接続され、前記電子機器に電力を供給する電源装置において、前記電子機器が接続されたことを判別する判別手段と、前記判別手段により、前記電子機器が接続されたと判別された場合に、前記電子機器へ電力を供給し、前記電子機器が接続されていないと判別された場合に、前記電子機器への電力供給を停止する電力供給手段と、前記電力供給手段が前記電子機器への電力供給を停止している状態で前記判別手段に電力を供給する二次電池と、を備えることを特徴とする。
【００２４】
本発明の電源装置は、電子機器が接続され、前記電子機器に電力を供給する電源装置において、前記電子機器から電力供給の指示が入力される入力手段と、前記入力手段に電力供給の指示が入力される場合に、前記電子機器へ電力を供給し、前記入力手段に電力供給の指示が入力されない場合に、前記電子機器への電力供給を停止する電力供給手段と、前記電力供給手段が前記電子機器への電力供給を停止している状態で前記判別手段に電力を供給する二次電池と、を備えることを特徴とする。
【発明の効果】
【００２５】
本発明の電源装置によれば、電子機器への接続状態を常に検知しつつ、省電力化を図ることができる。
【発明を実施するための最良の形態】
【００２６】
以下、本発明の実施の形態を図面を参照しながら詳細に説明する。
【００２７】
（第１の実施の形態）
図１は、本発明の第１の実施の形態に係る電源装置がカメラに接続された例を示す構成図である。
【００２８】
電源装置１はカメラ４に接続されている。
【００２９】
電源装置１は、入力した商用電源（ＡＣ）を整流する整流平滑回路１０１、電圧変換のためのパルス電流を作り出すスイッチング部１０２、トランス１０３、目標とする電圧に整流化する高周波整流平滑回路１０４を備える。
【００３０】
また、電源装置１は、パルス電流化する信号を作り出すパルス振幅調整ＩＣ１０５、電圧制御信号を発生する定電圧制御部１０６、動作の開始と停止を切り換えるための動作切換部１０７、切換信号を発生させる動作モード制御部１０８を備える。
【００３１】
また、フォトダイオード１０９、１１０、フォトダイオード１０９、１１０の信号を受けるフォトトランジスタ１１１、１１２、動作モードを制御するための電源である二次電池１１３を備える。
【００３２】
また、電源装置１は、二次電池１１３を充電するための充電回路１１４、充電回路１１４の充電状態と出力状態を切り換えるモードスイッチ１１５、二次電池１１３から流れる電流を調整する抵抗１１６を備える。
【００３３】
電源を伝達するためのケーブル２の端部には、カメラ４に電源を供給するためのプラグ３がある。プラグ３は、＋極となるプラグ＋端子３０１、プラグ３の接続状態を判別するプラグ判別端子３０２、プラグ３のグランドとなるプラググランド端子３０３を備える。
【００３４】
電源装置１を接続する電子機器であるカメラ４には、プラグ３が接続されるジャック５が設けられている。ジャック５は、ジャック＋接点５０１、プラグ判別端子３０２と接続されるジャック判別接点５０２、ジャックグランド接点５０３を備える。
【００３５】
電源装置１に入力された商用電源（ＡＣ）は、整流平滑回路１０１で整流された後、スイッチング部１０２でパルス電流に変換され、トランス１０３を介して高周波整流平滑回路１０４に供給される。
【００３６】
高周波整流平滑回路１０４は、パルス電流をカメラ４に適するＤＣ電源に平滑化し、プラグ＋端子３０１に出力する。
【００３７】
定電圧制御部１０６は、高周波整流平滑回路１０４から出力される電圧を監視し電圧に応じた信号をフォトダイオード１０９からフォトトランジスタ１１１に送ることで、パルス振幅調整ＩＣ１０５に電圧情報を伝える。
【００３８】
パルス振幅調整ＩＣ１０５は、定電圧制御部１０６から伝えられた電圧情報を基に、パルス幅を変化させるようにスイッチング部１０２に信号を送り、所定の電圧に安定化させる。この動作は一般的なスイッチング電源の動作である。
【００３９】
プラグ３がカメラ４のジャック５に接続されると、プラグ＋端子３０１とジャック＋接点５０１、プラググランド端子３０３とジャックグランド接点５０３が結合し、電源装置１からカメラ４に電源が供給される。
【００４０】
また、プラグ判別端子３０２には、二次電池１１３の電圧が抵抗１１６を介して供給される。プラグ３が接続されていない場合には、プラグ判別端子３０２に電圧が出ている。プラグ３がジャック５に接続された場合には、プラグ判別端子３０２とジャック判別接点５０２が結合する。
【００４１】
ジャック判別接点５０２がカメラ４内部でプラググランド端子３０３と結合されていることより、プラグ判別端子３０２はグランドと接続されることとなり電圧が無くなる。動作モード制御部１０８は、プラグ判別端子３０２と接続されているため、プラグ判別端子３０２の電圧を検知することができ、電圧の状態によりプラグ３が接続されているかどうかを認知する。
【００４２】
また、動作モード制御部１０８は、二次電池１１３より動作電力の供給を受けて動作する。プラグ３が外されたときには（即ち、プラグ判別端子３０２の電圧が出ているとき）、フォトダイオード１１０からフォトトランジスタ１１２に信号を送る。
【００４３】
動作切換部１０７は、フォトトランジスタ１１２から信号を受信すると、パルス振幅調整ＩＣ１０５に対し、動作を中止させる信号を送る。パルス振幅調整ＩＣ１０５は、信号が送られている間、スイッチング部１０２にパルス電流発生信号の送信を行わず、スイッチング部１０２は動作が中止される（即ち、電力の供給が行われない）。
【００４４】
プラグ３が接続されたときには（即ち、プラグ判別端子３０２の電圧が無くなるとき）、フォトダイオード１１０からの信号の送信が止められる。動作切換部１０７は、フォトトランジスタ１１２からの受信信号が無くなったことを検知すると、パルス振幅調整ＩＣ１０５に対して動作信号を送る。
【００４５】
パルス振幅調整ＩＣ１０５は、信号が送られている間、スイッチング部１０２にパルス電流発生信号の送信を行い、スイッチング部１０２を動作させる（電力の供給が行われる）。
【００４６】
上記の動作を行うことで、プラグ３がジャック５に接続された場合には、回路が動作し、電源装置１からカメラ４に電源の供給を行い、接続されていない場合には、回路が動作を中止し、電力の無駄な消費を防止する。
【００４７】
二次電池１１３の充電は、充電回路１１４にて行われる。充電回路１１４は、高周波整流回路１０４からの出力を電源としており、二次電池１１３の電圧が低くなってきたことを検知し、充電を開始する。充電中は、モードスイッチ１１５がＢ側に移動し、二次電池１１３からの出力を停止する。モードスイッチ１１５は、充電完了後にＡ側に戻り、二次電池１１３からの出力を行う。
【００４８】
プラグ３が未接続の状態が長期に及ぶと、二次電池１１３の電力が消耗し、出力を行うことができなくなることがある。この場合には、プラグ判別端子３０２の電圧も無くなるため、動作モード制御部１０８は、電圧が無いことを検知し、フォトダイオード１１０からの信号送信を中止する。
【００４９】
プラグ３が接続されていない場合には、上記と同じ状態になるため、動作切換部１０７は、パルス振幅調整ＩＣ１０５に対して動作信号を送り、スイッチング部１０２は、パルス電流発生を開始する（電力の供給が行われる）。
【００５０】
電源装置１が動作を開始し、高周波整流回路１０４から出力が行われる。充電回路１１４は、二次電池１１３の充電を開始し、充電中はモードスイッチ１１５がＢ側に移り、二次電池１１３からの出力が行われないため、回路の動作状態が継続される。
【００５１】
充電終了後、モードスイッチ１１５がＡ側に移動し、出力を開始することで本来の動作を再開する（充電開始前はプラグ３が接続されていない状態であったため、回路の動作が停止する）。
【００５２】
ここで、プラグ判別端子３０２及び動作モード制御部１０８は、ケーブル２が電子機器（カメラ）４に接続されたことを判別する判別手段として機能する。
【００５３】
また、電源装置１の上記各ユニット、特に、パルス振幅調整ＩＣ１０５及び動作切換部１０７は、電力供給手段として機能する。電力供給手段は、判別手段により、ケーブル２が電子機器に接続されたと判別された場合に、電子機器へ電源供給し、ケーブル２が電子機器に接続されていないと判別された場合に、電子機器への電源供給を停止する。
【００５４】
（第２の実施の形態）
図２は、本発明の第２の実施の形態に係る電源装置がカメラに接続された例を示す構成図である。
【００５５】
図１に示す第１の実施の形態との違いは、カメラ４内部に、ジャック判別接点５０２とジャックグランド接点５０３の接続を切り換えるパワースイッチ４０１を追加した点である。
【００５６】
動作は、基本的に第１の実施の形態と同じであるが、プラグ３がジャック５に差し込まれただけでは、電源装置１は動作を開始しない。即ち、プラグ判別端子３０２がグランドに落ちていないので、動作モード制御部１０８は、フォトダイオード１１０へ信号を送り動作を中止させる。
【００５７】
パワースイッチ４０１がオンになることで、ジャック判別接点５０２とジャックグランド接点５０３が結合され、プラグ判別端子３０２がグランドに落ちる。動作モード制御部１０８はそれを検知し、フォトダイオード１１０へ信号を出力し動作を開始させる。
【００５８】
ここで、プラグ判別端子３０２は、カメラ４のパワースイッチ４０１による電源供給の指示を入力する入力手段として機能する。
【００５９】
本発明によれば、電子機器への接続検知用電源として、電源装置１内部の二次電池１１３を使うことで、電源装置１の出力が完全に停止しても接続状態の検知を行うことが可能となる。これにより、待機時（電子機器未接続時）に出力を完全に止める機構とすることが可能となり、大きな電力削減を図ることができる。
【００６０】
また、電子機器への接続検知ではなく、電子機器内の電源スイッチの状態を検知するようにすることで、電子機器への接続を行った状態でも電子機器の作動状態を検知することができるようになり、よりきめこまやかに待機状態へ移行することが可能となる。
【図面の簡単な説明】
【００６１】
【図１】本発明の第１の実施の形態に係る電源装置がカメラに接続された例を示す構成図である。
【図２】本発明の第２の実施の形態に係る電源装置がカメラに接続された例を示す構成図である。
【図３】従来例に係る電源装置がカメラに接続された例を示す構成図である。
【符号の説明】
【００６２】
１  電源装置
２  ケーブル
３  プラグ
４  カメラ
５  ジャック
１０１  整流平滑回路
１０２  スイッチング部
１０３  トランス
１０４  高周波整流平滑回路
１０５  パルス振幅調整ＩＣ
１０６  定電圧制御部
１０７  動作切換部
１０８  動作モード制御部
１０９  フォトダイオード
１１０  フォトダイオード
１１１  フォトトランジスタ
１１２  フォトトランジスタ
１１３  二次電池
１１４  充電回路
１１５  モードスイッチ
１１６  抵抗
【図１】
2009278695.tif 000003
【図２】
2009278695.tif 000004
【図３】
2009278695.tif 000005